(57)【要約】【解決手段】絶対嫌気性部５への汚水導入部１０で流入汚水１６に後記固液分離部３からの処理汚泥１７を混合し、それらの混合液１８に微生物を接触させる一次処理と、汚水導入部１０からつながる絶対嫌気性部５で、混合液１８に微生物を働かせることにより、代謝生産物を経て、混合液１８を分解処理する二次処理とを行う嫌気処理部１と、嫌気処理部１で二次処理がなされた二次処理汚水１９に酸素供給条件下で微生物を働かせることにより二次処理汚水１９を分解処理する好気処理部２と、好気処理部２で処理された処理汚水２０を処理汚泥１７と処理水２１とに分離する固液分離部３とを備えている。嫌気処理部１で一次処理がなされた混合液１８と二次処理がなされた二次処理汚水１９とを共に好気処理部２を介さずに固液分離部３に供給する。【効果】固液分離部３で嫌気処理が施されて生物反応機能が高められ、汚泥の発生をより一層抑制する。【選択図】図１
2004267911.tif 000002
【特許請求の範囲】
【請求項１】
流入汚水に対し微生物を働かせることによりその流入汚水を分解処理する嫌気処理を少なくとも行う前処理部と、
この前処理部からの処理汚水に対し酸素供給条件下で微生物を働かせることによりその処理汚水を分解処理する好気処理部と、
この好気処理部で処理された処理汚水を処理汚泥と処理水とに分離する固液分離部とを備え、
前記前処理部からの処理汚水を前記好気処理部を介さずに前記固液分離部に供給する
ことを特徴とする汚水処理装置。
【請求項２】
主処理部への汚水導入部で流入汚水に汚泥を混合し、その流入汚水と汚泥との混合液に対し微生物を接触させる一次処理と、この汚水導入部からつながる主処理部で、この一次処理がなされた一次処理汚水としての混合液に対し微生物を働かせることにより、代謝生産物を経て、この混合液を分解処理する二次処理とを行う嫌気処理部である前処理部と、
この前処理部で二次処理がなされた二次処理汚水に対し酸素供給条件下で微生物を働かせることによりその二次処理汚水を分解処理する好気処理部と、
この好気処理部で処理された処理汚水を処理汚泥と処理水とに分離する固液分離部とを備え、
前記前処理部で一次処理がなされた一次処理汚水を前記好気処理部を介さずに前記固液分離部に供給するか、または、前記前処理部で二次処理がなされた二次処理汚水を前記好気処理部を介さずに前記固液分離部に供給するか、または、その一次処理汚水及び二次処理汚水を共に前記好気処理部を介さずに前記固液分離部に供給する
ことを特徴とする汚水処理装置。
【請求項３】
前記汚水導入部は下水管であることを特徴とする請求項２に記載の汚水処理装置。
【請求項４】
汚水流入口から流入した流入汚水と汚泥混合口から入った汚泥とを混合した混合液に対し微生物を接触させる一次処理と、この一次処理がなされた一次処理汚水としての混合液に対し微生物を働かせることにより、代謝生産物を経て、この混合液を分解処理する二次処理とを行い、この二次処理がなされた二次処理汚水を処理汚水出口から排出する嫌気処理路として、前記汚水流入口と処理汚水出口との間に接続した嫌気処理管を採用するとともに、この嫌気処理管に前記汚泥混合口を設けた前処理部と、
この嫌気処理管で二次処理がなされた二次処理汚水に対し酸素供給条件下で微生物を働かせることによりその二次処理汚水を分解処理する好気処理部と、
この好気処理部で処理された処理汚水を処理汚泥と処理水とに分離する固液分離部とを備え、
前記前処理部で一次処理がなされた一次処理汚水を前記好気処理部を介さずに前記固液分離部に供給するか、または、前記前処理部で二次処理がなされた二次処理汚水を前記好気処理部を介さずに前記固液分離部に供給するか、または、その一次処理汚水及び二次処理汚水を共に前記好気処理部を介さずに前記固液分離部に供給することを特徴とする汚水処理装置。
【請求項５】
前記固液分離部は、そこで分離された処理汚泥を前記前処理部で流入汚水と混合する汚泥として返送することを特徴とする請求項２または請求項３または請求項４に記載の汚水処理装置。
【発明の詳細な説明】
【０００１】
【発明の属する技術分野】
本発明は、微生物を利用した汚水処理装置に関するものである。
【０００２】
【従来の技術及び発明が解決しようとする課題】
従来の汚水処理装置においては、流入汚水を汚水導入部から好気処理部に供給し、その好気処理部で処理した処理汚水を固液分離部で処理汚泥と処理水とに分離していた。しかし、従来の汚水処理装置において汚水流入設備は、活性汚泥を利用した好気処理部に汚水を集めて単に入れる本来の機能しか有していなかったので、流入汚水をそのまま処理する好気処理部では汚泥の発生を抑制することが困難であった。また、従来の汚水流入設備においては、タンクを主体として利用し、管を各タンクの接続手段として利用していたので、タンクの設置スペースを必要とし、大型化するとともに複雑な構造になるおそれがあった。そこで、本出願人は、特願２００２−５９３５９号、特願２００２−１０２８９８号及び特願２００２−１１６４０７号にかかる汚水処理装置を提供している。
【０００３】
ところが、これらの汚水処理装置において固液分離部は、好気処理部で処理した処理汚水を処理汚泥と処理水とに分離する本来の機能しか有していなかった。この発明は、この固液分離部における生物反応機能を高めることにより、汚泥の発生をより一層抑制することを目的としている。
【０００４】
【課題を解決するための手段及び発明の効果】
後記実施形態の図面（図１（ａ）（ｂ）に示す第一実施形態、図２（ａ）（ｂ）及び図１（ｃ）（ｄ）に示す第二実施形態）の符号を援用して本発明を説明する。
【０００５】
＊  請求項１の発明（第一実施形態及び第二実施形態に対応）
この発明にかかる汚水処理装置（Ｓ）は、流入汚水（１６，４３）に対し微生物を働かせることによりその流入汚水（１６，４３）を分解処理する嫌気処理を少なくとも行う前処理部（嫌気処理部１）と、この前処理部（１）からの処理汚水（１９，４６）に対し酸素供給条件下で微生物を働かせることによりその処理汚水（１９，４６）を分解処理する好気処理部（２）と、この好気処理部（２）で処理された処理汚水（２０，４７）を処理汚泥（１７，４４）と処理水（２１，４８）とに分離する固液分離部（３）とを備えている。前記前処理部（１）からの処理汚水（１９，４６）を前記好気処理部（２）を介さずに前記固液分離部（３）に供給している。なお、前処理部（１）では、嫌気処理に加え、好気処理が行われてもよい。また、好気処理部（２）は硝化処理部を含む概念である。
【０００６】
この発明では、好気処理前に行う嫌気処理により、好気処理部（２）に流入する処理汚水（１９，４６）を軽減させることができる。そのため、好気処理部（２）では、少ない量の処理汚水（１９，４６）を効率良く好気処理することができる。従って、好気処理部（２）で処理汚水（２０，４７）における汚泥の発生を抑制することができる。
【０００７】
また、固液分離部（３）では、前処理部（嫌気処理部１）からの処理汚水（２３，２４，５０，５１）が好気処理部（２）からの処理汚水（２０，４７）に混合されるため、嫌気処理が施されて生物反応機能が高められる。その結果、汚泥の発生をより一層抑制することができる。
【０００８】
＊  請求項２の発明（主に第一実施形態に対応）
この発明にかかる汚水処理装置（Ｓ）は、主処理部（絶対嫌気性部５）への汚水導入部（１０）で流入汚水（１６）に汚泥（１７）を混合し、その流入汚水（１６）と汚泥（１７）との混合液（１８）に対し微生物を接触させる一次処理と、この汚水導入部（１０）からつながる主処理部（５）で、この一次処理がなされた一次処理汚水としての混合液（１８）に対し微生物を働かせることにより、代謝生産物を経て、この混合液（１８）を分解処理する二次処理とを行う嫌気処理部（１）である前処理部と、この前処理部（１）で二次処理がなされた二次処理汚水（１９）に対し酸素供給条件下で微生物を働かせることによりその二次処理汚水（１９）を分解処理する好気処理部（２）と、この好気処理部（２）で処理された処理汚水（２０）を処理汚泥（１７）と処理水（２１）とに分離する固液分離部（３）とを備えている。前記前処理部（１）で一次処理がなされた一次処理汚水（混合液１８）を前記好気処理部（２）を介さずに前記固液分離部（３）に供給するか、または、前記前処理部（１）で二次処理がなされた二次処理汚水（１９）を前記好気処理部（２）を介さずに前記固液分離部（３）に供給するか、または、その一次処理汚水（１８）及び二次処理汚水（１９）を共に前記好気処理部（２）を介さずに前記固液分離部（３）に供給している。なお、前処理部（１）では、嫌気処理に加え、好気処理が行われてもよい。また、好気処理部（２）は硝化処理部を含む概念である。
【０００９】
この発明では、好気処理前に行う嫌気処理により、好気処理部（２）に流入する処理汚水（１９）を軽減させることができる。そのため、好気処理部（２）では、少ない量の処理汚水（１９）を効率良く好気処理することができる。従って、好気処理部（２）で処理汚水（２０）における汚泥の発生を抑制することができる。
【００１０】
また、この発明では、一次処理部（下水管１０ａ等の汚水導入部１０を有する耐気性部４）と、この一次処理部からつながる二次処理部（ポンプ井等の主処理部である絶対嫌気性部５）とに分けているので、微生物接触域を広げて微生物反応時間を長くすることができる。従って、汚泥を利用した嫌気処理により、悪臭源やスカムなどの発生を抑制して軽減することができる。
【００１１】
さらに、固液分離部（３）では、前処理部（嫌気処理部１）からの処理汚水（２３，２４）が好気処理部（２）からの処理汚水（２０）に混合されるため、嫌気処理が施されて生物反応機能が高められる。その結果、汚泥の発生をより一層抑制することができる。
【００１２】
＊  請求項３の発明（主に第一実施形態に対応）
この発明において請求項２の発明にかかる汚水導入部（１０）は下水管（１０ａ）である。この発明では、既存の下水管（１０ａ）を利用した簡単な設備で、前記前処理部（１）における一次処理を行うことができる。
【００１３】
＊  請求項４の発明（主に第二実施形態に対応）
この発明にかかる汚水処理装置（Ｓ）は、汚水流入口（２６）から流入した上流側汚水である流入汚水（４３）と汚泥混合口（３６）から入った汚泥（４４）とを混合した混合液（４５）である下流側汚水に対し微生物を接触させる一次処理と、この一次処理がなされた上流側汚水である一次処理汚水としての混合液（４５）に対し微生物を働かせることにより、代謝生産物を経て、この混合液（４５）を分解処理する二次処理とを行い、この二次処理がなされた下流側汚水である二次処理汚水（４６）を処理汚水出口（２７）から排出する嫌気処理路として、前記汚水流入口（２６）と処理汚水出口（２７）との間に接続した嫌気処理管（２５）を採用するとともに、この嫌気処理管（２５）に前記汚泥混合口（３６）を設けた前処理部（嫌気処理部１）と、この嫌気処理管（２５）で二次処理がなされた二次処理汚水（４６）に対し酸素供給条件下で微生物を働かせることによりその二次処理汚水（４６）を分解処理する好気処理部（２）と、この好気処理部（２）で処理された処理汚水（４７）を処理汚泥（４４）と処理水（４８）とに分離する固液分離部（３）とを備えている。前記前処理部（１）で一次処理がなされた一次処理汚水（混合液４５）を前記好気処理部（２）を介さずに前記固液分離部（３）に供給するか、または、前記前処理部（１）で二次処理がなされた二次処理汚水（４６）を前記好気処理部（２）を介さずに前記固液分離部（３）に供給するか、または、その一次処理汚水（４５）及び二次処理汚水（４６）を共に前記好気処理部（２）を介さずに前記固液分離部（３）に供給している。この場合、嫌気処理管（２５）とは、断面筒状をなす外壁が所定長さだけ任意形態で延設された管であって、一本の管ばかりではなく、複数本の管を互いに連結したものも含み、管の内径及び外径や管の材質などが同一であっても異なっていてもよく、例えば、柔軟性を有するゴムホース等の可撓ホ−ス（撓み管）や、柔軟性のない鋼管や樹脂管等を採用することができる。前記嫌気処理管（２５）においては、汚水流入口（２６）と処理汚水出口（２７）との間で汚泥混合口（３６，３７）を一または二以上設けることができる。
【００１４】
この発明では、好気処理前に行う嫌気処理により、好気処理部（２）に流入する処理汚水（４６）を軽減させることができる。そのため、好気処理部（２）では、少ない量の処理汚水（４６）を効率良く好気処理することができる。従って、好気処理部（２）で処理汚水（４７）における汚泥の発生を抑制することができる。
【００１５】
また、この発明では、タンクを利用せず既存の管（２５）を有効利用した簡単な設備により、汚水処理装置（Ｓ）を簡略化することができる。また、一次処理区（耐気性管２８）と二次処理区（絶対嫌気性管２９）とに分けているので、微生物接触域を広げて微生物反応時間を長くすることができる。従って、汚泥を利用した嫌気処理により、悪臭源やスカムなどの発生を抑制して軽減することができる。
【００１６】
さらに、固液分離部（３）では、前処理部（嫌気処理部１）からの処理汚水（５０，５１）が好気処理部（２）からの処理汚水（４７）に混合されるため、嫌気処理が施されて生物反応機能が高められる。その結果、汚泥の発生をより一層抑制することができる。
【００１７】
＊  請求項５の発明（第一実施形態及び第二実施形態に対応）
この発明において、請求項２または請求項３または請求項４の発明にかかる固液分離部（３）は、そこで分離された処理汚泥（１７，４４）を前記前処理部（１）で流入汚水（１６，４３）と混合する汚泥として返送する。この発明では、固液分離部（３）からの処理汚泥（１７，４４）を循環させた嫌気処理により、悪臭源やスカムなどの発生をより一層抑制して軽減するとともに、汚泥の発生も抑制することができる。
【００１８】
【発明の実施の形態】
〔第一実施形態〕
まず、本発明の第一実施形態にかかる汚水処理装置について図１（ａ）（ｂ）を参照して説明する。
【００１９】
この汚水処理装置Ｓは嫌気処理部１と好気処理部２と固液分離部３とからなる。この嫌気処理部１は耐気性部４（一次処理部）と絶対嫌気性部５（二次処理部）とに区別することができる。この固液分離部３には、処理汚泥排出口６と処理水排出口７とのほかに、処理汚水供給口８と処理汚水供給口９とが設けられている。この固液分離部３の処理汚泥排出口６は前記耐気性部４の汚水導入部１０に対し汚泥返送経路１１により接続されている。この固液分離部３の処理汚水供給口８は前記耐気性部４の処理汚水排出口１２に対し汚水供給経路１３により接続されている。この固液分離部３の処理汚水供給口９は前記耐気性部４の処理汚水排出口１４に対し汚水供給経路１５により接続されている。
【００２０】
流入汚水１６は、まず、前記耐気性部４の汚水導入部１０（例えば下水管１０ａなど、汚水を運ぶ通路を広く意味する汚水管）に至る。この耐気性部４では、前記固液分離部３の処理汚泥排出口６から汚泥返送経路１１により返送された処理汚泥１７が、汚水導入部１０で下水管１０ａに通じるマンホール１０ｂから取り込まれ、酸素が少ない状態にある流入汚水１６に混合されるとともに、この処理汚泥１７からのみ酸素が流入汚水１６に補充される。この下水管１０ａ内では、前記処理汚泥１７内の微生物が、流入汚水１６への処理汚泥１７の取り込み位置Ｐで、それらの混合液１８に接触する。
【００２１】
次に、この混合液１８は前記絶対嫌気性部５（例えば攪拌機能を有するポンプ井である主処理槽）に至る。この混合液１８が前記下水管１０ａからこのポンプ井に至るまでの間に、この混合液１８に対し前記微生物が働くと、酸素の供給が極めて少ない状態で、この混合液１８は、有機酸やアルコールなどの代謝生産物を経て、二酸化炭素や水や硫化水素やメタンや窒素ガスなどに分解処理される。その場合、悪臭発生源となる脂肪及び油を吸着及び酸化して悪臭を除去する。
【００２２】
次に、前記絶対嫌気性部５で処理された処理汚水１９は前記好気処理部２（例えばエア供給攪拌機能を有する爆気槽）に至る。この処理汚水１９に対し酸素供給条件下で微生物が働くと、この処理汚水１９において、窒素化合物がアンモニアや硝酸塩などに、一部の有機化合物が二酸化炭素や水になどに、それぞれ分解処理される。その場合、この微生物は爆気槽でスカム発泡を抑制する。
【００２３】
次に、前記好気処理部２で処理された処理汚水２０は前記固液分離部３（例えば最終沈殿槽）に至る。この処理汚水２０は、前記処理汚泥排出口６から排出される処理汚泥１７と、前記処理水排出口７から排出される処理水２１とに分離される。この処理水２１は例えば河川などに放流される。この処理汚泥１７は、前述したように耐気性部４の汚水導入部１０で流入汚水１６と混合される汚泥として汚泥返送経路１１により返送される。なお、固液分離部３からの処理汚泥１７とは別に汚泥を供給管２２から補充的に投入してもよい。
【００２４】
前記耐気性部４の処理汚水排出口１２から分配された処理汚水２３は、初期の嫌気処理が施されたものであって、汚水供給経路１３により固液分離部３に対し処理汚水供給口８から供給される。前記絶対嫌気性部５の処理汚水排出口１４から分配された処理汚水２４は、耐気性部４からの処理汚水２３よりも嫌気性が強められたものであって、汚水供給経路１５により固液分離部３に対し処理汚水供給口９から供給される。この固液分離部３では、前記嫌気処理部１（耐気性部４及び絶対嫌気性部５）からの処理汚水２３，２４が前記好気処理部２からの処理汚水２０に混合されるため、初期の嫌気処理が施されて生物反応機能が高められる。
【００２５】
〔第二実施形態〕
次に、本発明の第二実施形態にかかる汚水処理装置について図２（ａ）（ｂ）及び図１（ｃ）（ｄ）を参照して説明する。
【００２６】
この汚水処理装置Ｓは嫌気処理部１と好気処理部２と固液分離部３とからなる。この嫌気処理部１は、耐気性部４（一次処理部）及び絶対嫌気性部５（二次処理部）を有する断面円筒状の嫌気処理管２５を備え、汚水流入口２６と処理汚水出口２７とを有している。この嫌気処理管２５は、汚水流入口２６から所定長さだけ所定形態で延設された断面円筒状の主管である耐気性管２８（前記耐気性部４）と、この耐気性管２８から処理汚水出口２７まで所定長さだけ所定形態で延設された断面円筒状の主管である絶対嫌気性管２９（前記絶対嫌気性部５）とを備えている。この耐気性管２８や絶対嫌気性管２９として、柔軟性を有するゴムホース等の可撓ホ−ス（撓み管）や、柔軟性のない鋼管や樹脂管等を利用している。この嫌気処理管２５（耐気性管２８や絶対嫌気性管２９）の形態については、設置場所に応じて適宜決定され、例えば、渦巻き状に延設したりコイルばね状に延設したり蛇行状に延設したりして設置スペースを節約する。この嫌気処理管２５（耐気性管２８や絶対嫌気性管２９）の長さや内外径は、一般家庭の住宅やマンション等の集合住宅や工場などの設置場所により異なり、必要な処理能力に応じて決定される。また、既存の汚水配管内に可撓ホ−スを通してもよい。
【００２７】
前記好気処理部２は、前記嫌気処理管２５（耐気性管２８や絶対嫌気性管２９）よりも大径の好気処理管３０を備え、この好気処理管３０が前記絶対嫌気性管２９の処理汚水出口２７に連結されている。
【００２８】
前記固液分離部３は、前記嫌気処理管２５（耐気性管２８や絶対嫌気性管２９）よりも大径の固液分離処理管３１を備え、前記好気処理管３０に対し接続管３０ａにより連結されている。この固液分離処理管３１には、処理汚泥排出口３２と処理水排出口３３とのほかに、処理汚水供給口３４と処理汚水供給口３５とが設けられている。この固液分離処理管３１の処理汚泥排出口３２は、前記耐気性管２８にその延設方向に沿って設けられた複数の汚泥混合口３６と、前記絶対嫌気性管２９にその延設方向に沿って設けられた複数の汚泥混合口３７とに対し汚泥返送経路としての汚泥返送管３８により接続されている。この固液分離処理管３１の処理汚水供給口３４は前記耐気性管２８の処理汚水排出口３９に対し汚水供給経路としての汚水供給管４０により接続されている。この固液分離処理管３１の処理汚水供給口３５は前記絶対嫌気性管２９の処理汚水排出口４１に対し汚水供給経路としての汚水供給管４２により接続されている。
【００２９】
流入汚水４３は、まず、前記耐気性管２８（耐気性部４）の汚水流入口２６に至る。この耐気性管２８では、前記固液分離処理管３１（固液分離部３）から汚泥返送管３８により返送された処理汚泥４４が、複数の汚泥混合口３６から取り込まれ、酸素が少ない状態にある流入汚水４３に混合されるとともに、この処理汚泥４４からのみ酸素が流入汚水４３に補充される。この耐気性管２８内では、前記処理汚泥４４内の微生物が、流入汚水４３への処理汚泥４４の取り込み位置Ｐで、混合液４５（各汚泥混合口３６において取り込み位置Ｐよりも上流側の汚水に対し処理汚泥４４が混合された下流側の汚水）に接触する。ちなみに、流入汚水４３（上流側汚水）は、汚水流入口２６に最も近い汚泥混合口３６から、前記絶対嫌気性管２９に最も近い汚泥混合口３６に至るほど、処理汚泥４４との混合に伴い微生物との接触が促進されて順次改善処理された混合液４５（下流側汚水）となる。
【００３０】
次に、前述したように耐気性管２８で処理汚泥４４との混合に伴い順次改善処理された混合液４５は、前記絶対嫌気性管２９（絶対嫌気性部５）に至る。この混合液４５が耐気性管２８の汚水流入口２６から絶対嫌気性管２９の処理汚水出口２７に至るまでの間に、混合液４５に対し微生物が働くと、酸素の供給が極めて少ない状態で、混合液４５は、有機酸やアルコールなどの代謝生産物を経て、二酸化炭素や水や硫化水素やメタンや窒素ガスなどに分解処理される。その場合、悪臭発生源となる脂肪及び油を吸着及び酸化して悪臭を除去する。この絶対嫌気性管２９においても、前記固液分離処理管３１から汚泥返送管３８により返送された処理汚泥４４が、複数の汚泥混合口３７から取り込まれて混合液４５（各汚泥混合口３７において取り込み位置Ｐよりも上流側の汚水）に混合される。この絶対嫌気性管２９内では、前記処理汚泥４４内の微生物が、混合液４５への処理汚泥４４の取り込み位置Ｐで、混合液４５に補充されて処理汚水４６（各汚泥混合口３７において取り込み位置Ｐよりも下流側の汚水）となる。ちなみに、混合液４５（上流側汚水）は、耐気性管２８に最も近い汚泥混合口３７から、絶対嫌気性管２９の処理汚水出口２７に最も近い汚泥混合口３７に至るほど、処理汚泥４４との混合に伴い微生物による分解処理が促進されて順次改善処理された処理汚水４６（下流側汚水）となる。
【００３１】
次に、前記絶対嫌気性管２９で処理された処理汚水４６は前記好気処理管３０（例えばエア供給攪拌機能を有する爆気管）に至る。この処理汚水４６に対し酸素供給条件下で微生物が働くと、この処理汚水４６において、窒素化合物がアンモニアや硝酸塩などに、一部の有機化合物が二酸化炭素や水になどに、それぞれ分解処理される。その場合、この微生物は爆気槽でスカム発泡を抑制する。
【００３２】
次に、前記好気処理管３０（好気処理部２）で処理された処理汚水４７は前記固液分離処理管３１（例えば沈殿管）に至る。この処理汚水４７は、前記処理汚泥排出口３２から排出される処理汚泥４４と、前記処理水排出口３３から排出される処理水４８とに分離される。この処理水４８は例えば河川などに放流される。この処理汚泥４４は、前記耐気性管２８で流入汚水４３と混合される汚泥として前記汚泥返送管３８により強制的に返送されるとともに、前記絶対嫌気性管２９で混合液４５と混合される汚泥として前記汚泥返送管３８により強制的に返送される。なお、固液分離処理管３１からの処理汚泥４４とは別に汚泥を供給管４９から補充的に投入してもよい。
【００３３】
前記耐気性管２８の処理汚水排出口３９から分配された処理汚水５０は、初期の嫌気処理が施されたものであって、汚水供給管４０により固液分離処理管３１に対し処理汚水供給口３４から供給される。前記絶対嫌気性管２９の処理汚水排出口４１から分配された処理汚水５１は、耐気性管２８からの処理汚水５０よりも嫌気性が強められたものであって、汚水供給管４２により固液分離処理管３１に対し処理汚水供給口３５から供給される。この固液分離処理管３１では、前記嫌気処理管２５（耐気性管２８及び絶対嫌気性管２９）からの処理汚水５０，５１が前記好気処理管３０からの処理汚水４７に混合されるため、初期の嫌気処理が施されて生物反応機能が高められる。
【図面の簡単な説明】
【図１】（ａ）は本発明の第一実施形態にかかる汚水処理装置を示す概略システム図であり、（ｂ）は第一実施形態で流入汚水と汚泥との混合部を示す部分拡大図であり、（ｃ）は第二実施形態の耐気性管で流入汚水と汚泥との混合部を示す部分拡大図であり、（ｄ）は第二実施形態の絶対嫌気性管で混合液と汚泥との混合部を示す部分拡大図である。
【図２】（ａ）（ｂ）は本発明の第二実施形態にかかる汚水処理装置を示す概略システム図である。
【符号の説明】
Ｓ…汚水処理装置、１…嫌気処理部（前処理部）、２…好気処理部、３…固液分離部、４…耐気性部、５…絶対嫌気性部（主処理部）、１０…耐気性部の汚水導入部、１０ａ…下水管、１１…固液分離部からの汚泥返送経路、１３…耐気性部からの汚水供給経路、１５…絶対嫌気性部からの汚水供給経路、１６，４３…耐気性部への流入汚水、１７，４４…固液分離部からの処理汚泥、１８，４５…耐気性部における混合液（一次処理汚水）、１９，４６…絶対嫌気性部からの二次処理汚水、２０，４７…好気処理部からの処理汚水、２１，４８…固液分離部からの処理水、２３，５０…耐気性部からの処理汚水、２４，５１…絶対嫌気性部からの処理汚水、２５…嫌気処理管（嫌気処理路）、２６…汚水流入口、２７…処理汚水出口、２８…耐気性管、２９…絶対嫌気性管、３８…固液分離部からの汚泥返送管、４０…耐気性部からの汚水供給管、４２…絶対嫌気性部からの汚水供給管。
【図１】
2004267911.tif 000003
【図２】
2004267911.tif 000004